(57)【要約】【課題】水道水等にミネラル分、水素を添加することにより、安価に硬質水素水を給水する。【解決手段】貯水タンクの水内に硬度改質器１１が投入されている。硬度改質器１１内にはマグネシウム供給源１６、カルシウム供給源１７が封入され、この硬度改質器１１の内部に水が浸入すると、マグネシウム供給源１６内の金属マグネシウム粒と反応し、水素ガスと水酸化マグネシムを生成する。カルシウム供給源１７内の亜硫酸カルシウム粒から硫酸カルシウムと塩素イオンが生成される。水酸化マグネシウムからマグネシウムイオン、硫酸カルシウムからカルシウムイオンが溶解する。例えばマグネシウム及びカルシウムの含有量が５５ｍｇ／Ｌの水道水に対して、硬度改質器１１を入れた貯水タンクに１時間貯水した水のカルシウム及びマグネシウムの含有量は２７２ｍｇ／Ｌとなり、高硬度で水素を含む飲料水を生成することができる。【選択図】図２
0003150470.tif 000002
【実用新案登録請求の範囲】
【請求項１】
貯水タンクを有し、該貯水タンク内に金属マグネシウム粒から成るマグネシウム供給源と、亜硫酸カルシム粒から成るカルシウム供給源を収納した硬度改質器を投入することにより、貯水タンク内の水にミネラル分を添加すると共に水素の溶けた硬質水素水に改質し、該硬質水素水を給水することを特徴とする硬質水素水サーバ。
【請求項２】
前記貯水タンクの上部には、前記硬度改質器を出し入れのための開口を設けたことを特徴とする請求項１に記載の硬質水素水サーバ。
【請求項３】
給水に対し加温又は冷却する機構を設けたことを特徴とする請求項１又は２に記載の硬質水素水サーバ。
【考案の詳細な説明】
【技術分野】
【０００１】
本考案は、水道水からミネラル分及び水素の豊富な硬質水素水を製造し、給水するための硬質水素水サーバに関するものである。
【背景技術】
【０００２】
一般の水道水は十分の殺菌、不純物の濾過が求められると共に、洗浄水としても広く使用されることから過剰なミネラル成分の除去が必須条件となっている。
【０００３】
また、特許文献１、２に示すように、水道水を更に軟水化するためにミネラル分を除去する技術も広く知られている。
【０００４】
一方で、人間の生命の維持にはミネラル分の摂取が必要不可欠であるにも拘らず、元来、日本の水は地質学的にミネラル分の少ない軟水であり、日本人はミネラル分の摂取が不足気味といわれている。そのため、近年ではミネラル分の不足に起因する疾患の増加が懸念されている。
【先行技術文献】
【特許文献】
【０００５】
【特許文献１】特開２００３−１４５１５１号公報
【特許文献２】特開２００３−３３４５４９号公報
【考案の概要】
【考案が解決しようとする課題】
【０００６】
上述のように、日本の水にはミネラル分の少ない軟水が多く、天然のミネラル分の豊富な飲料水はペットボトル詰めのミネラル水を外国、主にヨーロッパから輸入しているのが現状である。このミネラル水はミネラル水が持つ味の良さと共に、ミネラル不足からくる体調不良や骨粗鬆症等の疾患を予防する目的を併せもっている。
【０００７】
しかしながら、上述のミネラル水は水道水と比較すると、格段に高価であり、多量に飲料する介護等の施設においては、安価なコストで水道水からミネラル分の豊富な硬水を製造し、供給することができる硬水供給機が求められている。
【０００８】
また、外国からミネラル水を輸入するには輸送費用はもとより、輸送時に多量の二酸化炭素を排出することから環境負荷が大く、地球温暖化の観点からも望ましいことではない。
【０００９】
更に、ペットボトルは合成樹脂、つまりは石油を原料としており、資源保護の観点からも好ましいものではなく、環境型社会を目指すには、ペットボトル等の使用を減らしてゆくことが望まれている。
【００１０】
また、水素ガスの溶け込んだ水素水には活性酸素の除去、脳梗塞や記憶力の低下、がんの抑制の予防に効果があるという説もある。
【００１１】
本考案の目的は、上述の問題点を解消し、水道水にミネラル分を簡便に添加することにより、輸送等による環境負荷を低減すると共に、ミネラルを相当量含み、かつ水素ガスの溶けた硬質水素水を安価に製造し、給水できる硬質水素水サーバを提供することにある。
【課題を解決するための手段】
【００１２】
上記目的を達成するための本考案に係る硬質水素水サーバは、貯水タンクを有し、該貯水タンク内に金属マグネシウム粒から成るマグネシウム供給源と、亜硫酸カルシム粒から成るカルシウム供給源を収納した硬度改質器を投入することにより、貯水タンク内の水にミネラル分を添加すると共に水素の溶けた硬質水素水に改質し、該硬質水素水を給水することを特徴とする。
【考案の効果】
【００１３】
本考案に係る硬質水素水サーバによれば、軟水である水道水に、簡便にミネラル分及び水素を添加することにより、安価に硬質水素水を製造し、給水することができる。
【図面の簡単な説明】
【００１４】
【図１】硬質水素水サーバの概略図である。
【図２】硬度改質器の分解斜視図である。
【考案を実施するための形態】
【００１５】
本考案を図示の実施例に基づいて詳細に説明する。
図１は本実施例における硬質水素水サーバの概略図を示している。本体１の上部には、上方に開口２を有し、水Ｗを貯水する合成樹脂製の貯水タンク３が載置されており、貯水タンク３の開口２は蓋部４により閉止されるようになっている。なお、この貯水タンク３は内部の水Ｗの貯水量を目視し易くするために、透明又は透光性を有する素材から成ることが好ましい。
【００１６】
本体１の前面上部には、給水レバーである温水レバー５及び冷水レバー６、温水を給水する給水口７、冷水を給水する給水口８が設けられ、本体１の前面下部には、コップを支持するための支持台９が設けられている。
【００１７】
また、本体１の内部には、図示しないヒータ及びペルチェ素子が内蔵されており、温水レバー５が押されると、貯水タンク３から供給される水Ｗはヒータにより８５℃前後に加熱された後に給水口７から給水される。同様に、冷水レバー６が押されると、水Ｗはペルチェ素子により１０〜１５℃に冷却された後に給水口８から給水される。本実施例においては、上述の加温・冷却機構を設けたが、必ずしもこれらの機構を設ける必要はない。
【００１８】
図２は貯水タンク３内に投入する硬度改質器の分解斜視図を示している。合成樹脂から成る略短円柱状の硬度改質器１１の側面には、多数のスリット１２が穿けられている。この硬度改質器１１の上縁には、ねじ溝１３が刻設され、蓋部材１４がねじ溝１３と螺合することにより固定される。
【００１９】
蓋部材１４の上面にも多数の孔部１５が穿けられており、本実施例におけるこれらのスリット１２、孔部１５は他の形状としてもよい。
【００２０】
通常、飲料水のミネラル分を示す硬度はマグネシウム及びカルシウムの含有量により決まるので、これらのミネラル分を供給するために、この硬度改質器１１内にはマグネシウム供給源１６、カルシウム供給源１７が封入されている。
【００２１】
本実施例におけるマグネシウム供給源１６は、樹脂製繊維袋内に安価でかつイオン化され易い１〜２ｍｍの四角状チップから成る金属マグネシウム粒１００ｇが封入されている。また、マグネシウム供給源１６の樹脂製繊維袋内には、銀を添着した径１ｍｍ弱の活性炭粒１０ｇ及び径２〜４ｍｍのトルマリン粒２０ｇも封入され、活性炭粒は遊離塩素、トリハロメタン、カビ臭、有機物質を吸着し除去し、トルマリン粒は水を美味にする役割を果たしている。
【００２２】
また、カルシウム供給源１７には、例えば樹脂製繊維袋内に径１ｍｍ程度の亜硫酸カルシム粒３０ｇが封入されている。
【００２３】
硬質水素水を供給するに際しては、硬度改質器１１内にマグネシウム供給源１６とカルシウム供給源１７を入れ、ねじ溝１３を介して蓋部材１４を固定した後に、貯水タンク３の蓋部４を開け、開口２から投入する。また、貯水タンク３内にはホース等を介して水道水等を供給し、給水により貯水量が減少すると適宜に補充する。
【００２４】
貯水タンク３内においては、硬度改質器１１のスリット１２及び孔部１５から水Ｗが内部に浸入し、マグネシウム供給源１６に封入された金属マグネシウム粒と次のような反応をし、水素ガスを発生すると共に、水酸化マグネシムを生成し一部がマグネシウムイオンとして溶解する。
Ｍｇ＋２Ｈ2Ｏ→Ｍｇ（ＯＨ）2＋Ｈ2↑
【００２５】
また、水Ｗ中に溶解したマグネシウムイオンの一部は、水道水中の塩素イオンと反応して塩化マグネシウムを生成し、塩素臭の除去に使われる。なお、この塩化マグネシウムはニガリの成分でもあり、毒性はない。
【００２６】
硬度改質器１１内において発生した水素ガスは、スリット１２及び孔部１５を介して抜け、貯水タンク３内に溜まる。また、貯水タンク３の上部に開口２を設け、簡便な蓋部４により塞ぐことにより、塵埃の侵入を防止すると共に、貯水タンク３内の水素ガスを抜いて、内部の圧力の上昇を防止している。また、蓋部４や貯水タンク３に別途にガス抜きの孔を設けてもよい。なお、水素ガスの発生量は微量なため、爆発等による危険性はない。
【００２７】
また、発生した水素ガスの一部は水Ｗ中に溶け込み、水Ｗは水素を含んだ水素水となる。
【００２８】
カルシウム供給源１７に封入された亜硫酸カルシウムの水に対する溶解度は極めて低いが、水と接触すると水道水中に含有されるカルキ臭の原因物質である次亜塩素イオンと次のように反応する。これによって、次亜塩素イオンは分解されて、塩素イオンとなると共に、亜硫酸カルシウムは酸化されて硫酸カルシウムとなる。
ＣｌＯ-＋ＣａＳＯ3→ＣａＳＯ4＋Ｃｌ-
【００２９】
生成した硫酸カルシウムは水に対して溶解し易く、カルシウムイオンに分解されて水道水を硬水化するのに適した濃度に溶解する。また、塩素イオンそのものは所謂塩素臭を発しないので、カルシウムイオンの供給と塩素臭の除去を同時に達成することができる。
【００３０】
このように、本実施例における硬質水素水サーバの貯水タンク３に、マグネシウム供給源１６及びカルシウム供給源１７を入れた硬度改質器１１を投入することにより、貯水タンク３内の水Ｗにマグシネウムイオンとカルシウムイオンが溶解する。
【００３１】
例えば、カルシウム及びマグネシウムの含有量が５５ｍｇ／Ｌの水道水に対して、貯水タンク３内で１時間貯水した水Ｗのカルシウム及びマグネシウムの含有量は２７２ｍｇ／Ｌとなり、飲料水としての基準内の高硬度の飲料水を生成することができる。
【００３２】
なお、マグネシウム供給源１６とカルシウム供給源１７の寿命は異なるため、本実施例においては、それぞれの寿命に応じて交換するために別個としたが、１つの樹脂製繊維袋に入れることもできる。
【符号の説明】
【００３３】
１  本体
２  開口
３  貯水タンク
４  蓋部
５  温水レバー
６  冷水レバー
７、８  給水口
９  支持台
１１  硬度改質器
１２  スリット
１３  ねじ溝
１４  蓋部材
１５  孔部
１６  マグネシウム供給源
１７  カルシウム供給源
【図１】
0003150470.tif 000003
【図２】
0003150470.tif 000004